(57)【要約】      （修正有）【課題】垂下式養殖において、陸上から電力の供給を受けずに、養殖する貝類・藻類等に酸素を供給する垂下式養殖システムを提供する。【解決手段】太陽電池モジュール１１と太陽電池モジュール１１を水面に浮上させる浮子１２とを備える水上設置型太陽電池ユニット１０と、水上設置型太陽電池ユニット１０に垂下される養殖吊体２０と、養殖吊体２０に保持される貝類又は藻類に酸素を供給する酸素供給装置３０と、を有する。【選択図】図１
0003220399.tif 000002
【実用新案登録請求の範囲】
【請求項１】
太陽電池モジュールと当該太陽電池モジュールを水面に浮上させる浮子とを備える水上設置型太陽電池ユニットと、
前記水上設置型太陽電池ユニットの下方に垂下される養殖吊体と、
前記養殖吊体に保持される貝類又は藻類に酸素を供給する酸素供給装置と、
を有することを特徴とする垂下式養殖システム。
【請求項２】
前記水上設置型太陽電池ユニットの前記太陽電池モジュールは、厚さ４０ｍｍ〜１００ｍｍ、幅６５０ｍｍ〜１，０００ｍｍ、長さ１，３００ｍｍ〜２，０００ｍｍの範囲で全体として長方形板状の形状を有し、受光面側に複数の太陽電池セルから構成されていることを特徴とする請求項１に記載の垂下式養殖システム。
【請求項３】
前記太陽電池モジュールの外周縁部は、アイオノマー系樹脂からなる封止材を介し、金属製フレームにより固定されていることを特徴とする請求項１または２に記載の垂下式養殖システム。
【請求項４】
前記太陽電池モジュールの構造は、標準青板ガラス基板上にＳｉＯ２とＳｎＯ２の２層からなる透明電極と、ｐ／ｉ／ｎ型のアモルファスシリコーンからなる発電膜及びアルミニウムからなる裏面電極を順次積層した構成のアモルファスシリコーン型太陽電池であることを特徴とする請求項１乃至３のいずれか１項に記載の垂下式養殖システム。
【請求項５】
前記アモルファスシリコーン型太陽電池を複数個備えた前記太陽電池モジュールは、強化ガラス板の裏面側から裏面電極の一部が銅箔電極との接触部で銀ペーストにより接着され、互いに電気的に接続されている構造体であることを特徴とする請求項１乃至４のいずれか１項に記載の垂下式養殖システム。
【請求項６】
前記水上設置型太陽電池ユニットは、前記太陽電池モジュールを載置固定し当該太陽電池モジュールの受光面の角度が調整可能な架台を備えることを特徴とする請求項１乃至５のいずれか１項に記載の垂下式養殖システム。
【請求項７】
前記架台は、金属フレーム又は樹脂フレームの成形体であることを特徴とする請求項６に記載の垂下式養殖システム。
【請求項８】
前記架台は、繊維強化プラスチック製フレームの成形体であることを特徴とする請求項６または７に記載の垂下式養殖システム。
【請求項９】
前記架台は、互いに連結部材によって結合されていることを特徴とする請求項６乃至８のいずれか１項に記載の垂下式養殖システム。
【請求項１０】
前記架台の下部には複数の浮子が取り付けられ、当該架台に載置された前記太陽電池モジュールを水面に浮上させていることを特徴とする請求項６乃至９のいずれか１項に記載の垂下式養殖システム。
【請求項１１】
前記浮子は、前記架台の両側にそれぞれ２個ずつ取り付けられていることを特徴とする請求項６乃至１０のいずれか１項に記載の垂下式養殖システム。
【請求項１２】
前記浮子は、合成樹脂製であり、長さ９０ｃｍ〜１１０ｃｍ、幅３０ｃｍ〜５０ｃｍ、厚さ２０ｃｍ〜４０ｃｍの範囲であることを特徴とする請求項６乃至１１のいずれか１項に記載の垂下式養殖システム。
【請求項１３】
前記養殖吊体は、ロープと当該ロープに所定の間隔を設けて固定された複数の籠から構成されていることを特徴とする請求項１乃至１２のいずれか１項に記載の垂下式養殖システム。
【請求項１４】
前記養殖吊体の籠には、養殖の対象とされる貝類が保持されていることを特徴とする請求項１３に記載の垂下式養殖システム。
【請求項１５】
それぞれ前記養殖吊体が垂下された４個の前記太陽電池モジュールに対し１個のエアポンプが取り付けられた前記水上設置型太陽電池ユニットを形成し、四角形に配置された６個の当該水上設置型太陽電池ユニットが連結されて合計２４個の当該太陽電池モジュールを有する太陽電池アレイを形成し、４個の当該太陽電池アレイを四角形に配置することにより、１列に１２個の当該太陽電池モジュールが８列に整列し、合計９６個の当該太陽電池モジュールが接続された当該太陽電池アレイを浮上させたことを特徴とする請求項１乃至１４のいずれか１項に記載の垂下式養殖システム。
【請求項１６】
前記水上設置型太陽電池ユニットを上面に載置し、且つ、前記養殖吊体を下面に取り付ける養殖筏を有することを特徴とする請求項１乃至８のいずれか１項に記載の垂下式養殖システム。
【請求項１７】
前記養殖筏は、複数本の筏本体と、当該筏本体の下側で当該筏本体と略直交するように配置された複数本の筏部材とが、それぞれ連結ロープにより結合された構造を有していることを特徴とする請求項１６に記載の垂下式養殖システム。
【請求項１８】
前記筏本体及び前記筏部材は、繊維強化プラスチック製パイプにより構成されることを特徴とする請求項１７に記載の垂下式養殖システム。
【請求項１９】
前記養殖筏の側面及び両端にそれぞれ前記浮子が取り付けられ、水面に浮上していることを特徴とする請求項１６乃至１８のいずれか１項に記載の垂下式養殖システム。
【請求項２０】
前記酸素供給装置は、前記水上設置型太陽電池ユニットから供給される電力により駆動される前記エアポンプと、当該エアポンプから送気される空気を前記養殖吊体の下側から水中に排出する噴出ノズルと、を備えることを特徴とする請求項１乃至１９のいずれか１項に記載の垂下式養殖システム。
【請求項２１】
前記酸素供給装置は、海底に設置され、前記水上設置型太陽電池ユニットから供給される電力により駆動されるバブル発生装置と、当該バブル発生装置に空気を供給する送気パイプと、を備えることを特徴とする請求項１乃至２０のいずれか１項に記載の垂下式養殖システム。
【考案の詳細な説明】
【技術分野】
【０００１】
本考案は、垂下式養殖システムに関する。
【背景技術】
【０００２】
貝類・藻類等を縄に取り付けた籠に入れ、海中につり下げて養殖する垂下式養殖では、貝類・藻類等に海水中の溶存酸素を供給することが必要である。例えば、特許文献１には複数の浮き上がり防止用本体固定部と、複数の発泡部とで構成された発泡装置を使用し、発泡装置本体内部の空気を発泡部から海水中に排出して泡を発生させ、海水中の酸素を増大させるカキ等の養殖方法が記載されている。
【先行技術文献】
【特許文献】
【０００３】
【特許文献１】特開２００５−２３７２０２号公報
【考案の概要】
【考案が解決しようとする課題】
【０００４】
近年、環境汚染の影響で水温が上昇する等、溶存酸素の減少が問題とされている。また、生簀を使用する魚の養殖の場合も、同様な事情がある。酸素の供給には適当な装置を設置する必要があり、電力供給のための工夫も必要となる。
本考案の目的は、垂下式養殖において、陸上から電力の供給を受けずに、養殖する貝類・藻類等に酸素を供給する方法を提供することにある。
【課題を解決するための手段】
【０００５】
かくして、本考案によれば、太陽電池モジュールと当該太陽電池モジュールを水面に浮上させる浮子とを備える水上設置型太陽電池ユニットと、前記水上設置型太陽電池ユニットの下方に垂下される養殖吊体と、前記養殖吊体に保持される貝類又は藻類に酸素を供給する酸素供給装置と、を有することを特徴とする垂下式養殖システム。
ここで、前記水上設置型太陽電池ユニットの前記太陽電池モジュールは、厚さ４０ｍｍ〜１００ｍｍ、幅６５０ｍｍ〜１，０００ｍｍ、長さ１，３００ｍｍ〜２，０００ｍｍの範囲で全体として長方形板状の形状を有し、受光面側に複数の太陽電池セルから構成されていることが好ましい。
前記太陽電池モジュールの外周縁部は、アイオノマー系樹脂からなる封止材を介し、金属製フレームにより固定されていることが好ましい。
前記太陽電池モジュールの構造は、標準青板ガラス基板上にＳｉＯ２とＳｎＯ２の２層からなる透明電極と、ｐ／ｉ／ｎ型のアモルファスシリコーンからなる発電膜及びアルミニウムからなる裏面電極を順次積層した構成のアモルファスシリコーン型太陽電池であることが好ましい。
前記アモルファスシリコーン型太陽電池を複数個備えた前記太陽電池モジュールは、強化ガラス板の裏面側から裏面電極の一部が銅箔電極との接触部で銀ペーストにより接着され、互いに電気的に接続されている構造体であることが好ましい。
前記水上設置型太陽電池ユニットは、前記太陽電池モジュールを載置固定し当該太陽電池モジュールの受光面の角度が調整可能な架台を備えることが好ましい。
前記架台は、金属フレーム又は樹脂フレームの成形体であることが好ましい。
前記架台は、繊維強化プラスチック製フレームの成形体であることが好ましい。
前記架台は、互いに連結部材によって結合されていることが好ましい。
前記架台の下部には複数の浮子が取り付けられ、当該架台に載置された前記太陽電池モジュールを水面に浮上させていることが好ましい。
前記浮子は、前記架台の両側にそれぞれ２個ずつ取り付けられていることが好ましい。
前記浮子は、合成樹脂製であり、長さ９０ｃｍ〜１１０ｃｍ、幅３０ｃｍ〜５０ｃｍ、厚さ２０ｃｍ〜４０ｃｍの範囲であることが好ましい。
前記養殖吊体は、ロープと当該ロープに所定の間隔を設けて固定された複数の籠から構成されていることが好ましい。
前記養殖吊体の籠には、養殖の対象とされる貝類が保持されていることが好ましい。
それぞれ前記養殖吊体が垂下された４個の前記太陽電池モジュールに対し１個のエアポンプが取り付けられた前記水上設置型太陽電池ユニットを形成し、四角形に配置された６個の当該水上設置型太陽電池ユニットが連結されて合計２４個の当該太陽電池モジュールを有する太陽電池アレイを形成し、４個の当該太陽電池アレイを四角形に配置することにより、１列に１２個の当該太陽電池モジュールが８列に整列し、合計９６個の当該太陽電池モジュールが接続された当該太陽電池アレイを浮上させたことが好ましい。
前記水上設置型太陽電池ユニットを上面に載置し、且つ、前記養殖吊体を下面に取り付ける養殖筏を有することが好ましい。
前記養殖筏は、複数本の筏本体と、当該筏本体の下側で当該筏本体と略直交するように配置された複数本の筏部材とが、それぞれ連結ロープにより結合された構造を有していることが好ましい。
前記筏本体及び前記筏部材は、繊維強化プラスチック製パイプにより構成されることが好ましい。
前記養殖筏の側面及び両端にそれぞれ前記浮子が取り付けられ、水面に浮上していることが好ましい。
前記酸素供給装置は、前記水上設置型太陽電池ユニットから供給される電力により駆動されるエアポンプと、当該エアポンプから送気される空気を前記養殖吊体の下側から水中に排出する噴出ノズルと、を備えることが好ましい。
前記酸素供給装置は、海底に設置され、前記水上設置型太陽電池ユニットから供給される電力により駆動されるバブル発生装置と、当該バブル発生装置に空気を供給する送気パイプと、を備えることが好ましい。
【考案の効果】
【０００６】
本考案によれば、垂下式養殖において、陸上から電力の供給を受けずに、養殖する貝類・藻類等に酸素が供給される。
【図面の簡単な説明】
【０００７】
【図１】本実施の形態が適用される垂下式養殖システムの実施の形態を説明する概略斜視図である。
【図２】図１に示す垂下式養殖システムの実施の形態を説明する概略断面模式図である。
【図３】図１に示す垂下式養殖システムの実施の形態の概略平面図である。
【図４】図１に示す垂下式養殖システムの実施の形態を複数個水面に配置した場合の概略平面図である。
【図５】本実施の形態が適用される垂下式養殖システムの他の実施の形態を説明する概略斜視図である。
【図６】図５に示す垂下式養殖システムの実施の形態を説明する概略断面模式図である。
【図７】図５に示す垂下式養殖システムで使用する太陽電池モジュール、架台、養殖筏及び浮子の取り付け状態を説明する概略分解斜視図である。
【考案を実施するための形態】
【０００８】
以下、本考案の実施の形態について詳細に説明する。尚、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。また、本明細書において、「層上」等の「上」は、必ずしも上面に接触して形成される場合に限定されず、離間して上方に形成される場合や、層と層の間に介在層が存在する場合も包含する意味で使用する。
【０００９】
図１は、本実施の形態が適用される垂下式養殖システム１００の実施の形態を説明する概略斜視図である。さらに、図２は、図１に示す垂下式養殖システム１００の実施の形態を説明する概略断面模式図である。以下、図１と図２に基づき本実施の形態を説明する。
図１及び図２に示す垂下式養殖システム１００は、太陽電池モジュール１１と太陽電池モジュール１１を水面（海面）に浮上させる浮子１２とを備える水上設置型太陽電池ユニット１０と、水上設置型太陽電池ユニット１０の下方に垂下される複数の養殖吊体２０と、養殖吊体２０にそれぞれ保持される貝類又は藻類に酸素を供給する酸素供給装置３０と、を有する。
【００１０】
（太陽電池モジュール１１）
太陽電池モジュール１１は、全体として長方形板状の形状を有し、本実施の形態では、表面側（受光面）は、複数の太陽電池セルから構成されている。太陽電池モジュール１１の大きさは、例えば、厚さ４０ｍｍ〜１００ｍｍ程度、幅６５０ｍｍ〜１，０００ｍｍ程度、長さ１，３００ｍｍ〜２，０００ｍｍ程度の範囲である。本実施の形態では、太陽電池モジュール１１の大きさは、厚さ４５ｍｍ×幅１，０００ｍｍ×長さ１，３３８ｍｍ、または、厚さ４５ｍｍ×幅１，０００ｍｍ×長さ１，６５４ｍｍである。尚、図示しないが、太陽電池モジュール１１の受光面には強化ガラス板が設けられている。太陽電池モジュール１１の外周縁部は、所定の封止材を介し、金属製フレーム（図示せず）により固定されている。なお、封止材としてはアイオノマー系樹脂を用いると耐塩害効果が得られ、ＰＩＤ（Ｐｏｔｅｎｔｉａｌ  Ｉｎｄｕｃｅｄ  Ｄｅｇｒａｄａｔｉｏｎ：電圧誘起出力低下）現象による出力低下が生じないので好ましい。
【００１１】
太陽電池モジュール１１の構造は特に限定されず、例えば、アモルファスシリコーン（ａ−Ｓｉ）型太陽電池が挙げられる。一般に、アモルファスシリコーン（ａ−Ｓｉ）型太陽電池は、標準青板ガラス基板上にＳｉＯ２とＳｎＯ２の２層からなる透明電極、ｐ／ｉ／ｎ（又はｎ／ｉ／ｐ）型のアモルファスシリコーンからなる発電膜及びアルミニウム（Ａｌ）からなる裏面電極を順次積層した構成となっている。このようなａ−Ｓｉ型太陽電池を複数個備えた太陽電池モジュール１１の構造体としては、強化ガラス板の裏面側から裏面電極の一部が銅箔電極との接触部で銀ペーストにより接着され、互いに電気的に接続されている。
【００１２】
（架台１３）
太陽電池モジュール１１は、架台１３に載置固定されている。架台１３は、例えば、金属フレーム又はＦＲＰ（繊維強化プラスチック）等の樹脂フレームの成形体である。本実施の形態では、太陽電池モジュール１１の受光面が太陽光により効率良く照射されるように、所定の傾斜角度を有するように形成されている。太陽電池モジュール１１を載置した架台１３は、互いに連結部材１４によって結合されている。
【００１３】
（浮子１２）
架台１３の下部には複数の浮子１２が取り付けられ、架台１３に載置された太陽電池モジュール１１を水面（海面）に浮上させている。浮子１２の取り付ける箇所、取り付ける個数は特に制限はないが、本実施の形態では、架台１３の両側に、それぞれ２個ずつ取り付けている。浮子１２を形成する材料は、例えば、ＡＢＳ（アクリロニトリル−ブタジエン−スチレン樹脂）、ポリエチレン等の合成樹脂が挙げられる。浮子１２の大きさは特に限定されないが、例えば、長さ９０ｃｍ〜１１０ｃｍ、幅３０ｃｍ〜５０ｃｍ、厚さ２０ｃｍ〜４０ｃｍの範囲である。
【００１４】
（養殖吊体２０）
本実施の形態では、複数の養殖吊体２０が金属製の架台１３に直接取り付けられ、水中に吊り下げられている。養殖吊体２０は、ロープ２１と、ロープ２１に所定の間隔を設けて固定された複数の籠２２から構成されている。養殖吊体２０のそれぞれの籠２２には、例えば、養殖の対象とされる複数の牡蠣等の貝類、藻類等が保持されている。なお、貝類、藻類等は、籠２２を使用せずに直接ロープ２１に固定してもよい。
【００１５】
（酸素供給装置３０）
本実施の形態における酸素供給装置３０は、架台１３に取り付けられたエアポンプ３１と、エアポンプ３１から送気される空気を養殖吊体２０の下側から水中に排出する噴出ノズル３３と、噴出ノズル３３に空気を送る送気パイプ３２を有している。エアポンプ３１は、太陽電池モジュール１１から供給される電力により駆動される。エアポンプ３１は、蓄電池及びコンデンサを含む充電装置（図示せず）を介し、必要に応じて、直流電力型または交流電力型のいずれかが採用される。直流電力型のエアポンプ３１を用いる場合は、太陽電池モジュール１１から供給される直流電力を利用するために、直流／交流変換するインバータが不要となる。なお、充電装置を設けることにより、夜間、曇天、降雨時等でもエアポンプ３１を稼動させることができる。
【００１６】
エアポンプ３１には水中に設けられた送気パイプ３２の一端が接続され、送気パイプ３２の他端には噴出ノズル３３が設けられている。送気パイプ３２の長さは少なくとも養殖吊体２０より長くなるように設置され、噴出ノズル３３が養殖吊体２０の下側に設けられている。噴出ノズル３３には多数の微細孔が形成されている。そして、噴出ノズル３３の微細孔からマイクロバブル３４が噴出され、養殖吊体２０に保持されている複数の牡蠣等の貝類、藻類等に溶存酸素が供給される。
【００１７】
図３は、図１に示す垂下式養殖システム１００の実施の形態の概略平面図である。尚、養殖吊体２０は省略している。
図３には、四角形に配置される４個の水上設置型太陽電池ユニット１０と、４個の水上設置型太陽電池ユニット１０の中心部分に取り付けられた１個のエアポンプ３１とを有する垂下式養殖システム１００が示されている。それぞれの水上設置型太陽電池ユニット１０の太陽電池モジュール１１を載置する架台１３の両脇には、浮子１２がそれぞれ２個ずつ取り付けられている。水上設置型太陽電池ユニット１０は、架台１３の側面に形成された連結部１３１に連結部材１４を取り付けて結合されている。なお、各水上設置型太陽電池ユニット１０の間には、３０ｃｍ〜６０ｃｍの間隔が設けられている。
【００１８】
図３に示すように、本実施の形態では、四角形に配置された４個の水上設置型太陽電池ユニット１０に対し、これらの中央部分に１個のエアポンプ３１が取り付けられている。エアポンプ３１の取り付け方法はとくに限定されないが、本実施の形態では、四角形に配置された４個の水上設置型太陽電池ユニット１０のそれぞれに設けられた架台１３のそれぞれの角部に所定の固定手段を用いて固定されている。エアポンプ３１には、空気取り入れ口３１１が設けられている。空気取り入れ口３１１から水上設置型太陽電池ユニット１０の下側の水中に送気する空気が取り入れられる。
【００１９】
なお、図示しないが、水面（海面）に設置する太陽電池モジュール１１同士の電気的な接続、太陽電池モジュール１１と充電器（図示せず）との接続、充電器とエアポンプ３１との接続等に使用する電線等は、耐水性や漏電防止を目的とした装備を施すことが好ましい。具体的には、例えば、電線は、プラスとマイナスの対のケーブル２本を金属管に通して樹脂で充填した構造とし、再外装は金属層の保護のため樹脂コーティングとする。端子ボックスは、蓋の気密性によりポッティング剤を省略（ポッティングレスタイプ）する構造とし、さらにポッティング剤を注入することで二重の保護とする。コネクタ部分は、耐水性のある設計に加えてコネクタカバーを装着して二重の保護とする。さらに、海上に浮かべる太陽電池モジュール１１は、断線した場合に海中に漏電するリスクがあるので、漏電を検出した際に回路を遮断するリレーを組み込むことが好ましい。
【００２０】
また、水上設置型太陽電池ユニット１０に対するエアポンプ３１の数は、図３に示すような実施の形態（すなわち、四角形に配置される４個の水上設置型太陽電池ユニット１０と、４個の水上設置型太陽電池ユニット１０の中心部分に取り付けられた１個のエアポンプ３１）に限定されず、必要に応じて、適宜調整される。
【００２１】
図４は、図１に示す垂下式養殖システム１００の実施の形態を複数個水面に配置した場合の概略平面図である。なお、浮子１２（図２参照）および養殖吊体２０（図１または図２参照）は省略している。
図４は、合計９６個の太陽電池モジュール１１を有する太陽電池アレイ２００を水面（海面）に浮上させた大型の垂下式養殖システム３００を示している。太陽電池アレイ２００を形成するには、まず、各４個の水上設置型太陽電池ユニット１０（各４個の太陽電池モジュール１１を含む）に対し１個のエアポンプ３１が取り付けられた垂下式養殖システム１００を形成する。次に、四角形に配置された６つの垂下式養殖システム１００が連結されることにより、合計２４個の太陽電池モジュール１１を有する太陽電池アレイ１１０を形成する。さらに、４個の太陽電池アレイ１１０を四角形に配置することにより、１列に１２個の太陽電池モジュール１１が８列に整列し、合計９６個の太陽電池モジュール１１が接続された太陽電池アレイ２００を浮上させた垂下式養殖システム３００が形成される。
【００２２】
本実施の形態では、通常、水面（海面）に浮上させた合計２４個の太陽電池モジュール１１を有する太陽電池アレイ１１０に、合計６個のエアポンプ３１と水中に垂下される複数の養殖吊体２０（図示せず）とを備えた垂下式養殖システム１００が、貝類又は藻類の垂下式養殖における適当な大きさのシステムとして使用される。この場合、太陽電池モジュール１１が占める面積は、例えば、約１．６ｍ２×２４個（＝３８．４ｍ２）程度である。また、太陽電池アレイ１１０の長さａは７ｍ〜８ｍ程度、幅ｂは９ｍ〜１０ｍ程度である。
【００２３】
さらに大型の垂下式養殖を行う場合は、図４に示すように、４個の垂下式養殖システム１００が四角形に配置された太陽電池アレイ２００を水面（海面）に浮上させた大型の垂下式養殖システム３００を形成することができる。この場合、太陽電池アレイ２００の長さＡは１４ｍ〜１６ｍ程度、幅Ｂは１８ｍ〜２０ｍ程度である。また、太陽電池モジュール１１が占める面積は、約１．６ｍ２×９６個（＝１５３．６ｍ２）程度である。
【００２４】
図５は、本実施の形態が適用される垂下式養殖システム１０１の他の実施の形態を説明する概略斜視図である。図６は、図５に示す垂下式養殖システム１０１の実施の形態を説明する概略断面模式図である。さらに、図７は、図５に示す垂下式養殖システム１０１で使用する太陽電池モジュール１１、架台１３、養殖筏１５及び浮子１２の取り付け状態を説明する概略分解斜視図である。以下、図５、図６、図７に基づき本実施の形態を説明する。
【００２５】
図５に示す垂下式養殖システム１０１は、太陽電池モジュール１１と太陽電池モジュール１１を載置した架台１３と、太陽電池モジュール１１を載置した架台１３を固定した養殖筏１５と、養殖筏１５を水面（海面）に浮上させる浮子１２とを備える水上設置型太陽電池ユニット１０を備えている。さらに、水上設置型太陽電池ユニット１０の下方に垂下される複数の養殖吊体２０と、養殖吊体２０にそれぞれ保持される貝類又は藻類に酸素を供給する酸素供給装置３０１と、を有する。
【００２６】
（養殖筏１５）
図７に示すように、太陽電池モジュール１１は架台１３に載置され、さらに、水面（海面）に浮上させた養殖筏１５に固定されている。養殖筏１５は、４本の筏本体１５１と、筏本体１５１の下側で筏本体１５１と略直交するように配置された３本の筏部材１５２とが、それぞれ連結ロープ１５３により結合された構造を有している。筏本体１５１及び筏部材１５２を形成する材料はとくに限定されない。例えば、ＦＲＰ（Ｆｉｂｅｒ−Ｒｅｉｎｆｏｒｃｅｄ  Ｐｌａｓｔｉｃｓ：繊維強化プラスチック）製パイプ等が挙げられる。
養殖筏１５の側面及び両端には、それぞれ２個（合計８個）の浮子１２が取り付けられていて、水面（海面）に浮上している。尚、養殖筏１５には複数の養殖吊体２０（図示せず）のロープ２１（図示せず）が取り付けられ、ロープ２１（図示せず）には所定の間隔を設けて複数の籠２２（図示せず）が固定されている。
【００２７】
図５に示す垂下式養殖システム１０１が備える酸素供給装置３０１は、海底に設置されたバブル発生装置３５と送気パイプ３２１と蓄電ユニット３６とを有している。
海底に設置されたバブル発生装置３５は、送気パイプ３２１を通して送られる空気を用いてマイクロバブル３４を発生させる。バブル発生装置３５の形式はとくに限定されず、従来公知のものが使用される。
送気パイプ３２１は、一端が養殖筏１５に取り付けられ他端がバブル発生装置３５に取り付けられている。蓄電ユニット３６は、太陽電池モジュール１１から発生する電力を蓄電し、バブル発生装置３５を駆動させる電力を供給している。
【００２８】
以上、詳述したように、本実施の形態が適用される垂下式養殖システム１００，１０１は、海上に設置した太陽電池モジュール１１から得られる電力を使用することにより、垂下式養殖において、陸上から電力の供給を受けずに、養殖する貝類・藻類等に酸素が供給される。これにより、環境汚染の影響による水温の上昇や、溶存酸素の減少の問題が解消される。
【符号の説明】
【００２９】
１０…水上設置型太陽電池ユニット、１１…太陽電池モジュール、１２…浮子、１３…架台、１４…連結部材、１５…養殖筏、２０…養殖吊体、２１…ロープ、２２…籠、３０…酸素供給装置、３１…エアポンプ、３２，３２１…送気パイプ、３３…噴出ノズル、３４…マイクロバブル、３５…バブル発生装置、３６…蓄電ユニット、１００，１０１，３００…垂下式養殖システム、１３１…連結部、１１０，２００…太陽電池アレイ、１５１…筏本体、１５２…筏部材、１５３…連結ロープ、３１１…空気取り入れ口
【図１】
0003220399.tif 000003
【図２】
0003220399.tif 000004
【図３】
0003220399.tif 000005
【図４】
0003220399.tif 000006
【図５】
0003220399.tif 000007
【図６】
0003220399.tif 000008
【図７】
0003220399.tif 000009
【手続補正書】
【提出日】平成30年12月28日(2018.12.28)
【手続補正１】
【補正対象書類名】実用新案登録請求の範囲
【補正対象項目名】全文
【補正方法】変更
【補正の内容】
【実用新案登録請求の範囲】
【請求項１】
太陽電池モジュールと当該太陽電池モジュールを水面に浮上させる浮子とを備える水上設置型太陽電池ユニットと、
前記水上設置型太陽電池ユニットの下方に垂下される養殖吊体と、
前記養殖吊体に保持される貝類又は藻類に酸素を供給する酸素供給装置と、
を有することを特徴とする垂下式養殖システム。
【請求項２】
前記水上設置型太陽電池ユニットの前記太陽電池モジュールは、厚さ４０ｍｍ〜１００ｍｍ、幅６５０ｍｍ〜１，０００ｍｍ、長さ１，３００ｍｍ〜２，０００ｍｍの範囲で全体として長方形板状の形状を有し、受光面側に複数の太陽電池セルから構成されていることを特徴とする請求項１に記載の垂下式養殖システム。
【請求項３】
前記太陽電池モジュールの外周縁部は、アイオノマー系樹脂からなる封止材を介し、金属製フレームにより固定されていることを特徴とする請求項１または２に記載の垂下式養殖システム。
【請求項４】
前記太陽電池モジュールの構造は、標準青板ガラス基板上にＳｉＯ２とＳｎＯ２の２層からなる透明電極と、ｐ／ｉ／ｎ型のアモルファスシリコーンからなる発電膜及びアルミニウムからなる裏面電極を順次積層した構成のアモルファスシリコーン型太陽電池であることを特徴とする請求項１乃至３のいずれか１項に記載の垂下式養殖システム。
【請求項５】
前記アモルファスシリコーン型太陽電池を複数個備えた前記太陽電池モジュールは、強化ガラス板の裏面側から裏面電極の一部が銅箔電極との接触部で銀ペーストにより接着され、互いに電気的に接続されている構造体であることを特徴とする請求項４に記載の垂下式養殖システム。
【請求項６】
前記水上設置型太陽電池ユニットは、前記太陽電池モジュールを載置固定し当該太陽電池モジュールの受光面の角度が調整可能な架台を備えることを特徴とする請求項１乃至５のいずれか１項に記載の垂下式養殖システム。
【請求項７】
前記架台は、金属フレーム又は樹脂フレームの成形体であることを特徴とする請求項６に記載の垂下式養殖システム。
【請求項８】
前記架台は、繊維強化プラスチック製フレームの成形体であることを特徴とする請求項６または７に記載の垂下式養殖システム。
【請求項９】
前記架台は、互いに連結部材によって結合されていることを特徴とする請求項６乃至８のいずれか１項に記載の垂下式養殖システム。
【請求項１０】
前記架台の下部には複数の浮子が取り付けられ、当該架台に載置された前記太陽電池モジュールを水面に浮上させていることを特徴とする請求項６乃至９のいずれか１項に記載の垂下式養殖システム。
【請求項１１】
前記浮子は、前記架台の両側にそれぞれ２個ずつ取り付けられていることを特徴とする請求項６乃至１０のいずれか１項に記載の垂下式養殖システム。
【請求項１２】
前記浮子は、合成樹脂製であり、長さ９０ｃｍ〜１１０ｃｍ、幅３０ｃｍ〜５０ｃｍ、厚さ２０ｃｍ〜４０ｃｍの範囲であることを特徴とする請求項６乃至１１のいずれか１項に記載の垂下式養殖システム。
【請求項１３】
前記養殖吊体は、ロープと当該ロープに所定の間隔を設けて固定された複数の籠から構成されていることを特徴とする請求項１乃至１２のいずれか１項に記載の垂下式養殖システム。
【請求項１４】
前記養殖吊体の籠には、養殖の対象とされる貝類が保持されていることを特徴とする請求項１３に記載の垂下式養殖システム。
【請求項１５】
前記水上設置型太陽電池ユニットを上面に載置し、且つ、前記養殖吊体を下面に取り付ける養殖筏を有することを特徴とする請求項１乃至８のいずれか１項に記載の垂下式養殖システム。
【請求項１６】
前記養殖筏は、複数本の筏本体と、当該筏本体の下側で当該筏本体と略直交するように配置された複数本の筏部材とが、それぞれ連結ロープにより結合された構造を有していることを特徴とする請求項１５に記載の垂下式養殖システム。
【請求項１７】
前記筏本体及び前記筏部材は、繊維強化プラスチック製パイプにより構成されることを特徴とする請求項１６に記載の垂下式養殖システム。
【請求項１８】
前記養殖筏の側面及び両端にそれぞれ前記浮子が取り付けられ、水面に浮上していることを特徴とする請求項１５乃至１７のいずれか１項に記載の垂下式養殖システム。
【請求項１９】
前記酸素供給装置は、前記水上設置型太陽電池ユニットから供給される電力により駆動されるエアポンプと、当該エアポンプから送気される空気を前記養殖吊体の下側から水中に排出する噴出ノズルと、を備えることを特徴とする請求項１乃至１８のいずれか１項に記載の垂下式養殖システム。
【請求項２０】
それぞれ前記養殖吊体が垂下された４個の前記太陽電池モジュールに対し１個の前記エアポンプが取り付けられた前記水上設置型太陽電池ユニットを形成し、四角形に配置された６個の当該水上設置型太陽電池ユニットが連結されて合計２４個の当該太陽電池モジュールを有する太陽電池アレイを形成し、４個の当該太陽電池アレイを四角形に配置することにより、１列に１２個の当該太陽電池モジュールが８列に整列し、合計９６個の当該太陽電池モジュールが接続された当該太陽電池アレイを浮上させたことを特徴とする請求項１９に記載の垂下式養殖システム。
【請求項２１】
前記酸素供給装置は、海底に設置され、前記水上設置型太陽電池ユニットから供給される電力により駆動されるバブル発生装置と、当該バブル発生装置に空気を供給する送気パイプと、を備えることを特徴とする請求項１乃至２０のいずれか１項に記載の垂下式養殖システム。